(57)【要約】  単一部品のヨークに連結されたカミソリ刃を含むカートリッジを有する、ひげ剃り用カミソリ。ヨークは場合によっては射出成形により、材料の単一部品から形成される。ヨークはブリッジ及びそれぞれ一体丁番でブリッジに連結された１組の横材を含む。カートリッジは横材に連結され、横材の間にかかる。【選択図】図８
2014518136.tif 000002
【特許請求の範囲】
【請求項１】
ブリッジ及びそれぞれ一体丁番で前記ブリッジに連結された１組の横材を含む、単一部品として成形されたヨーク；並びに
前記ヨークに連結され前記横材の間にかかる、カミソリ刃を有するカートリッジ
を備える、ひげ剃り用カミソリ。
【請求項２】
前記一体丁番により、前記刃の組立体の１２０°の運動範囲が可能となる、請求項１に記載のひげ剃り用カミソリ。
【請求項３】
前記一体丁番により、５０°超の第１の弧を通る前方向枢動、及び５０°超の第２の弧を通る後方向枢動が可能となり、
前記第１及び第２の弧は、静止位置に対して定義される、請求項２に記載のひげ剃り用カミソリ。
【請求項４】
それぞれが単一の前記カミソリ刃を含む複数の別個の前記カートリッジを更に備える、請求項１に記載のひげ剃り用カミソリ。
【請求項５】
前記ヨークは、先行カミソリ刃の前方においてユーザの皮膚に接触する先行プラットホームを更に備える、請求項１に記載のひげ剃り用カミソリ。
【請求項６】
前記先行プラットホームはウェルを画定する、請求項４に記載のひげ剃り用カミソリ。
【請求項７】
前記ウェル内に配置される潤滑材を更に備える、請求項５に記載のひげ剃り用カミソリ。
【請求項８】
前記カートリッジは：
基部；並びに
刃の切縁の後ろにある溝を画定する、前記刃及び前記基部に連結されたカバー
を備える、請求項１に記載のひげ剃り用カミソリ。
【請求項９】
基部部材；
切縁を有する刃；及び
前記刃の上に位置決めされ、前記基部部材に連結されたカバーであって、前記カバーの長さ方向に沿って溝を画定し、前記溝は、ひげ剃り中にユーザの皮膚と接触する前記カバーの表面積を低減するためのものである、カバー
を備える、カミソリ。
【請求項１０】
前記溝は、第１の側部及び第２の側部を有するほぼＶ字形に画定され、
前記第１の側部は前記刃に隣接し、前記刃に対してほぼ平行であり、
前記第２の側部は前記刃に対して急な角度を有し、第２の縁部を有し、
前記第２の縁部及び前記切縁は、ひげ剃り平面を画定する、請求項８に記載のカミソリ。
【請求項１１】
前記ひげ剃り平面の表面接触領域は、前記ひげ剃り平面における前記装置の周りの境界ボックスの５０％未満である、請求項９に記載のカミソリ。
【請求項１２】
前記カバーは、スポット溶接によって前記刃に設置される、請求項８に記載のカミソリ。
【請求項１３】
前記刃は、前記カバーに溶接された場合、前記刃単独の状態より５０％以上高い剛性を有する、請求項１１に記載のカミソリ。
【請求項１４】
前記カバーは、前記切縁を露出させる窪み領域を画定する、請求項８に記載のカミソリ。
【請求項１５】
前記カバーに連結された潤滑材を更に備える、請求項８に記載のカミソリ。
【請求項１６】
前記カバーは金属材料で形成した請求項８に記載のカミソリ。
【請求項１７】
前記カバーはこのカバーから前記基部部材まで延在する後部を有する支持部材；及び
前記基部部材に取り付けられた少なくとも１つのタブ部分
を更に備える、請求項８に記載の装置。
【請求項１８】
ブリッジ；
前記ブリッジに連結された複数の基部であって、各前記基部の組はその間に空間を画定する、基部；及び
切縁を有するカミソリ刃であって、複数の前記刃の前記切縁が静止状態において平面を画定するように各基部内に連結された、カミソリ刃
を備える、ひげ剃り用カミソリ。
【発明の詳細な説明】
【技術分野】
【０００１】
本発明はひげ剃りデバイスに関する。
【背景技術】
【０００２】
例えば手動シェーバー、電気シェーバー、多重使用ひげ剃りデバイス、及び使い捨てひげ剃りデバイス等、多様なひげ剃り手段が市販されている。このようなひげ剃りデバイスは典型的には、１枚又は複数の切刃を都合よく保持するための握りハンドル、及びこれらの刃のうちの１枚又は複数を支持する、内部に固定された各カートリッジを含む。これらのデバイスの多くは、多数の刃及び数多くの小さい部品を含み、従って製造が複雑で、費用がかかる。更に、完成製品はサイズが大きくなることが多く、これにより、鼻の周り等の隅におけるひげ剃りが困難となる。更に、切刃と皮膚との間の接触を維持するのは使用者にとって困難である場合が多く、カミソリは顔の多種多様な角度を行き来する。
【０００３】
添付の図面の図において、本発明の実施形態を、限定ではなく例示を目的として示す。図面においては、同様の参照符号は類似の要素を示す。なお、本開示での本発明の「ある」又は「一」実施形態に対する参照は、必ずしも同一の実施形態に対する参照ではなく、「少なくとも１つの」実施形態を意味する。
【図面の簡単な説明】
【０００４】
【図１Ａ】本発明のある実施形態のひげ剃り組立体の概略背面斜視図である。
【図１Ｂ】本発明のある実施形態のひげ剃り組立体の概略正面斜視図である。
【図２】本発明のある実施形態のカミソリ組立体の分解図である。
【図３Ａ】本発明のある実施形態のひげ剃り組立体の、撓んでいない向きでの概略側面図である。
【図３Ｂ】本発明のある実施形態のひげ剃り組立体の、凸向きでの概略側面図である。
【図４Ａ】ひげ剃りカートリッジのある実施形態の斜視図である。
【図４Ｂ】図４Ａのひげ剃りカートリッジの、線Ａ、Ａ’に沿った断面図である。
【図５】図４Ａに示すカバー及び刃の斜視図である。
【図６】図５に示すカバー及び刃の底面斜視図である。
【図７】図４Ａに示すひげ剃りカートリッジの背面斜視図である。
【図８】ひげ剃り組立体の一実施形態の分解図である。
【図９Ａ】図８のひげ剃り組立体の背面斜視図である。
【図９Ｂ】図８のひげ剃り組立体の正面斜視図である。
【図１０】本発明の一実施形態のカミソリヘッドの平面分解図である。
【図１１】本発明の一実施形態のひげ剃りヘッドの側面図である。
【図１２Ａ】一体ヨークを伴う単一カートリッジを有する本発明の代替実施形態を示す。
【図１２Ｂ】一体ヨークを伴う単一カートリッジを有する本発明の代替実施形態を示す。
【図１２Ｃ】一体ヨークを伴う単一カートリッジを有する本発明の代替実施形態を示す。
【発明を実施するための形態】
【０００５】
添付図面に関連する本発明のいくつかの実施形態について、ここで説明する。実施形態において説明される部品の形状、相対位置、及び他の態様が明確に定義されていない場合、本発明の範囲は図示した部品のみに限定されることはなく、図示した部品は単に説明を目的とするものである。
【０００６】
図１Ａ、１Ｂはそれぞれ、本発明の一実施形態のひげ剃り組立体の背面斜視図及び正面斜視図の概略図である。複数の独立したカートリッジ２４０、２５０、２６０を、カートリッジ支持体の１組の横材２０２に連結する。カートリッジ支持体は横材２０２の間にかかるブリッジ２０４も含む。取付け点２１６においてブリッジ２０４を各横材２０２に連結する。
【０００７】
図示した実施形態では、３つの独立したカートリッジ、つまり先行カートリッジ２６０、中央カートリッジ２５０及び後続カートリッジ２４０を使用する。一実施形態では、各カートリッジは独立して横材２０２に取り付けられるが、中央カートリッジ２５０は実質的に取付け点２１６に取り付けられ、先行カートリッジ２６０及び後続カートリッジ２４０は中央カートリッジに隣接するいずれかの側に取り付けられる。各カートリッジの構成は、図２を参照して以下により十分に説明する。一般に、横材２０２は可撓性であり、凹向きと凸向きとの間で撓むことができる。これについては図３Ａ、３Ｂを参照して以下により十分に説明する。例えば力が印加されていない場合等の静止時には、横材２０２は実質的に平坦である。接着剤、リベット、熱溶接若しくはいずれの従来の取付け機構又はこれらの組合せを用いて、カートリッジ２４０、２５０、２６０を横材２０２に取り付けてよい。カートリッジ及び特に（図３Ａ、３Ｂによりよく図示される）各カートリッジ組間の有限空間「ｄ」を、横材２０２に沿って位置決めすることで、隣接するカートリッジ間の接触によって更なる移動が妨げられる前にカミソリの面が達成できる陥凹の量が決定される。カートリッジ２４０、２５０、２６０はそれぞれ独立しているため、カミソリ面が凸状になるのに伴うあるカートリッジの相対的な移動は、他のカートリッジによる影響を受けない。このような移動は、横材２０２の可撓性及び弾性のみによって制約される。
【０００８】
本明細書で使用する用語「先行する」は、ひげ剃りの方向に関して位置的に前方にあることを指す。よって、組立体がひげ剃り領域に沿って引っ張られるのに伴い、先行カートリッジ２６０は中央カートリッジ２５０より早くひげ剃り領域に達する。一実施形態では、ひげ剃り組立体は先行プラットホーム２１４を含み、この先行プラットホーム２１４の上には潤滑ストリップ２８０を配置できる。先行プラットホーム２１４は横材２０２に取り付けてよく、又は横材２０２と共に形成してよい。潤滑ストリップ２８０は、先行カートリッジ２６０より前に潤滑剤を放出するよう位置決めされる。
【０００９】
いくつかの実施形態では、各カートリッジはまた、後続のカートリッジが到着する前にひげ剃り領域を滑りやすくする、固有の潤滑ストリップ２０８を有してよい。先行プラットホーム２１４は、潤滑ストリップ２０８の付着を改善するために穿孔２２４を含んでよい。代替実施形態では、潤滑ストリップ２０８の代わりに、先行カートリッジ２６０の前に水抜きを持ち上げる可撓性リブ又はミラーファンを設けてよい。ハンドル相互接続２７２をブリッジ２０４に連結し、ひげ剃り組立体をカミソリハンドルに連結できるようにする。ハンドル相互接続２７２は、ハンドルに取り付けられた場合に、組立体全体の往復動を実現できる。カミソリ相互接続２７２は、市販されている又は後に設計される多種多様な可能なカミソリハンドルに接続できるようにするために必要ないずれの構成を有してもよい。
【００１０】
図２は、本発明の一実施形態のひげ剃り組立体の分解図である。先行カートリッジ２６０が分解図で示されている。各カートリッジは、刃３０６、並びに刃３０６を共に保持する基部３０２及びキャップ３０４を有するキャリヤを含む。基部３０２及びキャップ３０４は、例えばプラスチック又はアルミニウムから押出成形される等、いずれの適切なプラスチック又は他の材料から射出成形されてよい。一実施形態では、基部３０２は、基部３０２から伸長する架装ペグ３１０と一体で形成される。架装ペグ３１０は横材２０２の穴３１２と係合し、その中で熱溶接されてよく、又はそれ以外の場合接着されてよい。キャップ３０４は、刃３０６を保持するために基部３０２の中にスナップ嵌合するように設計される。基部３０２は、剃られた体毛が刃３０６の動きを妨げる又は遮ることなく通過できる溝３０８を画定する。
【００１１】
多様な実施形態では、横材２０２は、市販されている弾性ナイロン１２、ポリウレタン、又は適切な弾性を有する他のいずれの合成材料から形成してよい。一般に、横材２０２が少なくとも８０００サイクル、変形し、その概して平坦な元の状態に戻るほど十分な弾性を有することが望ましい。１００００サイクル以上の弾性が好ましい。いくつかの実施形態では、横材２０２及びブリッジ２０４が１つのユニットとして成形されるか又は押し出される。いくつかの他の実施形態では、横材２０２及び基部３０２が１つのユニットとして成形される。なお、各カートリッジの基部３０２を互いに一体として形成できる場合、ブリッジ２０４は必要ない。
【００１２】
図３Ａ、３Ｂはそれぞれ、本発明のある実施形態のひげ剃り組立体の、撓んでいない向き及び凸向きでの概略側面図である。横部材４０２はブリッジ４０４に結合され、独立したカートリッジ４４０、４５０及び４６０を保持する。図中の双方向矢印は、横部材４０２が取付け点４１６の周りで撓み、凹向き又は凸向きのどちらかになる能力を示している。有限空間「ｄ」は、隣接するカートリッジ組４４０、４５０、４６０の間に存在する。有限空間「ｄ」は、横部材４０２が撓んでひげ剃り組立体の面を凹ませることができる量を決定する。横部材４０２が凹向きに撓むにつれ、隣接するカートリッジは接触するようになり、更なる陥凹を防ぐ。有限空間「ｄ」がない場合、（いったん組み立てられた）横部材４０２は面を凸状にさせる方向にしか撓むことしかできなくなる。凸向きは、使用者の鼻の下等の狭い領域のひげを剃るのに役立つ。一方、凹向きは、顎等の角のある部分の周りでひげを剃るのに役立つ。一般的に言えば、凹向きの可撓性よりも凸向きの可撓性の方が必要とされる。図示した実施形態では、先行プラットホーム４１４は弾性材料から形成してよくかつ刃よりも先に体毛を先行カートリッジ４６０から持ち上げるように設計された、一連のマイクロリブを支持する。先行プラットホーム４１４上の潤滑ストリップによってマイクロリブを全体的に又は部分的に置換できることを理解されたい。
【００１３】
図３Ｂは、凸向きに撓み、取付け点４１６において引っ張られる横部材４０２を示す。上述のように、この向きにより、使用者の鼻の周り等の狭い空間の中に入りやすくなる。特に、先行プラットホーム４１４は、使用者がひげ剃り領域に対して組立体を押し付けるにつれてこの撓みを助長する力を提供し、先行プラットホーム４１４は取付け点４１６の周りで屈曲を開始するためのレバーアームとなる。
【００１４】
図４Ａは、ひげ剃りカートリッジのある実施形態の斜視図を示す。ひげ剃りカートリッジ１００は、刃１０２、カバー１０４及び基部部材１０６を含んでよい。いくつかの実施形態では、刃１０２はカミソリ刃であってよい。カバー１０４は刃１０２に固定できる。カバー１０４は更に基部部材１０６に取り付けられ、刃１０２をカートリッジ１００内部の適所に保持してよい。カバー１０４は刃１０２の上に、ひげ剃り中にカバー１０４及び刃１０２の切縁１１２が使用者の皮膚に接触するように位置決めされる。本態様では、カバー１０４は切縁１１２に沿って窪み１１８を画定し、これによって切縁１１２の一部が使用者の皮膚に露呈される。カバー１０４は、刃１０２上で保護カバーとして働き得る。
【００１５】
カバー１０４は刃１０２に隣接する溝１１４を画定する。一実施形態では、溝は概してＶ字形である。溝は、第１のパネル１０８及び第２のパネル１１０によって画定されてよい。カバー１０４は保護カバーとして働くことに加え、従来のカミソリ刃カートリッジよりもよく皮膚全体に切縁１１２の圧力を拡散し、かつ皮膚全体にわたる切縁１１２の滑動を改善して、かすり傷及び切傷を低減するように寸法を定めてよい。これらの利点は、少なくとも部分的に、使用者の皮膚に接触するカバー１０４及び切縁１１２の表面積を、従来のカミソリ刃カートリッジと比較して約６０％減少させることによって達成される。少し言い方を変えると、ひげ剃り平面でカートリッジの周辺に境界ボックスを描くとすると、溝の上方の面積は境界ボックス内部の面積の６０％を表す。
【００１６】
そこに取り付けられた刃１０２を有するカバー１０４は、ひげ剃り動作中に、第２のパネル１１０の上端縁１１６及び切縁１１２が切断平面１２２を画定するように、基部部材１０６上に位置決めされる。溝領域１１４内部のカバー１０４の部分は、ひげ剃り中切断平面１２２の上方に持ち上げられたままとなるため、使用者の皮膚に接触しない。更に上端縁１１６は、ひげ剃りが更に近接できるように皮膚を引き伸ばす。
【００１７】
カバー１０４は、ひげ剃り中に使用者の皮膚に接触するのに適したいずれの材料から作製してもよい。カバー１０４は典型的には、例えばアルミニウム等の金属材料から作製してよい。また更なる実施形態では、カバー１０４はプラスチック材料等の他の材料から作製してもよい。いくつかの実施形態では、カバー１０４は、単一ユニットとしてアルミニウム板から打ち抜いてよい。他の実施形態では、カバー１０４は、射出成形、機械加工、又はカバー１０４の所望の特徴を生成するために適した他のいずれの製造プロセス等、当該技術分野で公知のいずれのプロセスによって形成してよい。
【００１８】
カバー１０４が金属材料から作製される実施形態では、使用者の皮膚全体にわたるカートリッジ１００の移動を容易にするために、カバー１０４に潤滑コーティングを塗布してよい。典型的には、静電スプレー塗装法を用いて、カバー１０４の上端縁１１６に沿って、例えばテトラフルオロエチレン短鎖重合体の水性分散液等、水、アルコール、フレオン、又は多様なフッ化炭素液体の中の分散として、短鎖重合体等の固体を塗布してよい。別法として、例えばアロエベラ及び／又はココナツミルク等の潤滑材が注入された潤滑ストリップをカバー１０４に取り付けてよい。上述した潤滑コーティング及び／又は潤滑材のいずれを、基部部材１０６の、使用者の皮膚に接触する部分に更に配置してよい。
【００１９】
カバー１０４及び刃１０２の基部部材１０６への取り付けは、カバー１０４を刃１０２に直接溶接することによって達成できる。典型的には、カバー１０４は、刃１０２の長さ寸法に沿った様々な点で刃１０２に点溶接されてよい。次に、図７を参照してより詳しく説明するように、カバー１０４を基部部材１０６に取り付けてよい。刃１０２を基部部材１０６に直接取り付けるのとは対照的に、本明細書に開示するように、カバー１０４を用いて刃１０２を基部部材１０６に取り付けると、刃１０２の形状を維持できる、より剛性のカートリッジ１００が得られる。この結果、より優れた滑動能力を有し、より長持ちする刃が得られると考えられる。
【００２０】
基部部材１０６は、図７を参照してより詳しく説明するように、基部部材１０６のブリッジへの取付けを容易にするための架装ペグ１２０を含んでよい。一実施形態では、基部部材１０６は基部部材１０６から伸長する架装ペグ１２０と一体で形成される。基部部材１０６は、剃られた体毛が刃１０２の動きを妨げる又は遮ることなく通過し得る細長い開口１２４を更に含んでよい。
【００２１】
図４Ｂは、図４Ａのひげ剃りカートリッジの線Ａ、Ａ’に沿った断面図を示す。図４Ｂは、切縁１１２が皮膚から延びる体毛１２８を剃るために皮膚１２６に沿って位置決めされるように回転された、図４Ａのひげ剃りカートリッジ１００を示す。この図から、第２のパネル１１０の上端縁１１６及び切縁１１２によって切断平面１２２が画定されることが分かる。皮膚１２６から伸びる体毛１２８を剃る間、カバー１０４の上端縁１１６及び切縁１１２だけが皮膚に沿って滑動するように、カバー１０４の溝１１４を皮膚１２６の上方に持ち上げる。いくつかの実施形態では、溝１１４は、ひげ剃り中に使用される石鹸、泡、水等の潤滑用流体及び／又は保湿用流体を皮膚１２６に対して保持する補助として機能し得る。このような特徴は、皮膚１２６に対するカートリッジ１００の滑動及び一般にひげ剃り後の皮膚１２６の状態を更に改善し得る。
【００２２】
図５は、図４Ａに示したカバー及び刃の斜視図を示す。上述のように、カバー１０４は第１のパネル１０８及び第２のパネル１１０を含んでよい。窪み１１８を第１のパネル１０８の内部に形成し、取り付けられた刃１０２の切縁１１２の一部を露出させてよい。この図から、端縁１１６及び切縁１１２によって形成される切断平面１２２に対する溝領域１１４の深さをより明確に見ることができる。特に、第２のパネル１１０の端縁１１６及び切縁１１２だけが切断平面１２２の内部にあることが分かる。結果として、ひげ剃り中、端縁１１６及び切縁１１２だけが使用者の皮膚に接触する。一方、カバー１０４の溝領域１１４は皮膚の表面の上方に持ち上げられたままである。
【００２３】
カバー１０４は更に、第１のパネル１０８から伸長する停止部材１２０２、１２０４を含んでよい。停止部材１２０２、１２０４は、切縁１１２の周りに延在するよう寸法決めされる。本態様では、停止部材１２０２、１２０４は、刃１０２及び特に切縁１１２をカバー１０４の内部に適切に配置するための補助として機能する。停止部材１２０２、１２０４はカバー１０４と一体で形成してよい。
【００２４】
更に、カバー１０４は、基部部材１０６にカバー１０４を固定するためのタブ１２０６、１２０８、１２１０、１２１２を含んでよい。タブ１２０６、１２０８、１２１０、１２１２は、カバー１０４の下方に延在してよく、これによってそれらを下にある基部部材１０６に固定できる。図５は、基部部材１０６にタブ１２０６、１２０８を固定するための実質的にまっすぐな平坦な構造としてタブ１２０６、１２０８を示しているが、図６、７を参照してより詳しく説明するように、タブ１２０６、１２０８は屈曲していてもよい。タブ１２０２、１２１２を、タブ１２０６と１２０８との間に配置してよい。タブ１２１０、１２１２は、それぞれの端部にかかりが付いた部分１２１４、１２１６を含む、実質的にまっすぐな構造であってよい。カバー１０４を基部部材１０６の内部に配置する際、かかりが付いた部分１２１４、１２１６は基部部材１０６の部分に引っ掛かり、基部部材１０６にカバー１０４を固定する。
【００２５】
図６は、図５に示すカバー及び刃の底面斜視図を示す。この図から、カバー１０４が第２のパネル１１０から伸長するバックプレート１３０２を更に含むことが分かる。バックプレート１３０２は刃１０２の下方に、及び基部部材１０６の裏面に沿って延在する（図７を参照）。本態様では、バックプレート１３０２は、刃１０２及びカバー１０４を基部部材１０６と位置合わせするための補助として機能する。タブ１２０６、１２０８、１２１０、１２１２は、バックプレート１３０２と一体で形成してよい。図６では、タブ１２０８、１２０６を、基部部材１０６にカバー１０４を固定するために使用される屈曲した構成で示す。
【００２６】
図７は、図４Ａに示すひげ剃りカートリッジの背面斜視図を示す。この図から、カバー１０４がどのようにして基部部材１０６に取り付けられるのかが分かる。特に、カバー１０４を基部部材１０６に取り付けるために、カバー１０４のバックプレート１３０２は基部部材１０６の裏面に沿って配置される。次にタブ１２０６、１２０８を、基部部材１０６の下側の周りで屈曲させる。タブ１２１０、１２１２は、基部部材１０６の下側に沿ってブラケット１４０６によって形成される長穴１４０２、１４０４に差し込まれる。タブ１２１０、１２１２のかかり１２１４、１２１６はそれぞれ、長穴１４０２、１４０４の端縁に引っ掛かり、タブ１２１０、１２１２を適所に保持する。
【００２７】
基部部材１０６は、ペグ１２０、１４０８を含む。図８を参照してより詳しく説明するように、ペグ１２０、１４０８を使用して、基部部材１０６をブリッジに固定できる。
【００２８】
図８は、ひげ剃り組立体の一実施形態の分解図を示す。ひげ剃り組立体５００は、複数のカートリッジ１００、５０２、５０４を含んでよい。カートリッジ１００は、図４Ａを参照して説明したカートリッジ１００と実質的に同じであってよい。カートリッジ５０２、５０４は、カートリッジ１００と実質的に同じであってよい。図８では、カートリッジ１００は分解した状態で示されている。
【００２９】
各カートリッジは、カートリッジ１００内部に刃１０２を共に保持するカバー１０４及び基部部材１０６を含む。一実施形態では、基部部材１０６は、基部部材から伸長する架装ペグ１２０及び４８０と一体で形成される。架装ペグ１２０、４０８はブリッジ５０８の穴５０６に係合し、その中で熱溶接、又は接着されてよい。多様な実施形態では、ブリッジ５０８は市販されている弾性ナイロン１２、ポリウレタン、又は適切な弾性を有する他のいずれの合成材料から形成してよい。なお、各カートリッジの基部部材１０６は、１つの部品として互いに一体で形成できる。図９Ａ、９Ｂを参照してより詳しく説明するように、ブリッジ５０８は、カミソリハンドルにカートリッジ１００、５０２、５０４を取り付けるためにハンドル相互接続部材に取り付けてよい。
【００３０】
図９Ａ、９Ｂはそれぞれ、図８のひげ剃り組立体の背面斜視図及び正面斜視図を示す。図８を参照して上述したカートリッジ等の複数の独立したカートリッジ１００、５０２、５０４がブリッジ５０８に連結される。
【００３１】
図示した実施形態では、３つの独立したカートリッジ、つまり先行カートリッジ１００、中央カートリッジ５０２及び後続カートリッジ５０４を使用する。一実施形態では、各カートリッジは独立してブリッジ５０８に取り付けられる。中央カートリッジ５０２は実質的に取付け点６０２に取り付けてよく、先行カートリッジ１００及び後続カートリッジ５０４は中央カートリッジに隣接するいずれかの側に取り付けてよい。
【００３２】
いくつかの実施形態では、ブリッジ５０８は可撓性であってよく、凹向きと凸向きとの間で撓むことができる。本実施形態では、ブリッジ５０８の横材６０４、６０８は、市販されている弾性ナイロン１２、ポリウレタン、又は適切な弾性を有する他のいずれの合成材料から形成されてよい。例えば力が印加されていない場合等の静止時、架装組立体５０８の横材６０４、６０６は実質的に平坦である。カートリッジ１００、５０２、５０４は、例えばリベット６１４を使用して横材６０４、６０６に取り付けてよい。また更なる実施形態では、カートリッジ１００、５０２、５０４は、接着剤、熱溶接、又はその組合せ等の任意の他の従来の架装機構を使用して横材６０４、６０６に取り付けてよい。カートリッジ１００、５０２、５０４はそれぞれ独立しているため、カミソリ面が凸状になるのに伴うあるカートリッジの相対的な移動は他のカートリッジによる影響を受けない。このような移動は、横材６０４、６０６の可撓性及び弾性のみによって制約される。このような実施形態では、例えばひげ剃りヘッドに力が印加されていない等、カミソリが静止状態である場合に、カートリッジの集合体の刃が平面を画定する。代替実施形態では、横材６０４、６０６は可撓性を有さず、これにより全てのカートリッジが実質的に剛性のひげ剃り平面に保持されてよい。
【００３３】
上述のように、組立体がひげ剃り領域に沿って引っ張られるのに伴い、先行カートリッジ１００は中央カートリッジ５０２より早くひげ剃り領域に達する。一実施形態では、ひげ剃り組立体は先行プラットホーム６０８を含んでよい。先行プラットホーム６０８は、横材６０４、６０６に取り付けてよく、又は横材６０４、６０６と共に形成してよい。潤滑ストリップ６１０は、先行カートリッジ１００より前に潤滑剤を放出するよう位置決めされる。
【００３４】
いくつかの実施形態では、潤滑ストリップ６１０（図９Ｂを参照）を先行プラットホーム６０８に適用してよい。更に又は代替として、各カートリッジ１００、５０２、５０４は、上述のように、後続のカートリッジが到着する前にひげ剃り領域を滑りやすくする、固有の潤滑剤を有してもよい。代替実施形態では潤滑ストリップ６１０の代わりに、先行カートリッジ１００の前に体毛を持ち上げる可撓性リブを設けてよい。
【００３５】
ハンドル相互接続６１２を組立体５０８に連結して、ひげ剃り組立体をカミソリハンドルに連結できるようにしてよい。カミソリ相互接続６１２は、市販されている又は後に設計される可能な様々なカミソリハンドルに接続できるようにするために必要ないずれの構成を有してもよい。
【００３６】
図１０は、本発明の一実施形態のカミソリヘッドの平面分解図を示す。カミソリヘッド８００は、その一部を形成する複数のカミソリカートリッジ８１０を有する。カミソリカートリッジ８１０は、刃８０２、基部８０４、及びカバー８０６を含み、上記図４Ａ〜９を参照して説明したように製造されてよい。図示した実施形態では、３つのカートリッジ８１０をヨーク８２０に連結する。ヨーク８２０は、材料の単一の一体部品として成形される。一実施形態では、ヨークは熱可塑性物質から成形される。一実施形態では、選択された材料はＥＭＳ−ＧＲＩＶＯＲＹ製のＥＭＳ  Ｇｒｉｌｌｆｌｅｘ  ＥＬＧ  ５６６０である。ただし、他の熱可塑性物質を使用してもよい。
【００３７】
ヨーク８２０は、カートリッジ８１０を受け入れるために取付け点８３０を定める１組の横材８２４と一体で形成されるブリッジ８２２を含む。ブリッジ８２２は、１組の一体丁番８３２によって横材８２４に連結される。一体丁番は、刃組立体が一体丁番を中心として、第１の弧及び第２の弧を通って順方向及び逆方向に枢動できるようにする厚さｔを有する。一実施形態では、ｔは１ｍｍ±０．１に等しい。他の実施形態は、より大きい又はより小さいｔを有してよい。枢動の弧は、厚さｔ及び一体丁番８３２を形成する材料の剛性によって制限される。成形に適切な材料を選択することで、一体丁番における早期疲労が回避される。一実施形態では、取付け点８３０は横材８２４を通して画定される一連の穿孔である。横材は、上記他の実施形態で説明したものと同様の可撓性特性を有してよい。これによって、基部８０４の架装ペグ（図１０では図示せず）を穿孔８３０内部に熱溶接できる。一実施形態では、各カートリッジ８１０は、横材８２４の間にかかる３９．６ミリメートルの長さ寸法を有する。他の寸法は、本発明の他の実施形態の範囲内として意図される。
【００３８】
いくつかの実施形態では、ヨーク８２０は先行プラットホーム８２６を含み、この先行プラットホーム８２６は潤滑剤を受け取るためのウェル８２８を画定できる。このようにして、組立体内部において先行カートリッジの先行する刃の前に潤滑剤を皮膚に塗布する。本発明の一実施形態では、従来のスティックハンドル又は他のいずれの適切なハンドル等のハンドルを刃組立体に取り付けることを可能にするハンドル取付け部品８３４もまた、ヨーク８２０の一部として成形される。特に、いくつかの実施形態では、カートリッジ８１０は図４Ａ〜９を参照して説明した通りであるが、他の実施形態では、図１Ａ〜３Ｂを参照して説明したカートリッジを、一体ヨーク８２０に取り付けてよい。別の実施形態では、カートリッジ８１０の基部８０４はヨーク８２０と一体で成形される。
【００３９】
製造の観点から、図１０を参照して説明する実施形態は、丁度４つの固有の部品を含む（これらの部品のうち３つを３回複製して、３カートリッジ刃組立体の合計部品点数を１０とする）。この部品点数は、現在の業界大手Ｇｉｌｌｅｔｅ（登録商標）及びＳｃｈｉｃｋ（登録商標）の製品に関連する部品点数の半分未満である。例として、Ｓｃｈｉｃｋ  Ｈｙｄｒｏ（登録商標）は２５の別個の部品を含み、Ｇｉｌｌｅｔｅ  Ｆｕｓｉｏｎ（登録商標）は２４の別個の部品を含む。基部８０４がヨーク８２０と一体で成形される実施形態では、部品点数は基部の数分減少される。更に、基部取付けの製造ステップが回避される。
【００４０】
図１１は、本発明の一実施形態のひげ剃りヘッドの側面図である。一実施形態の特定の寸法をミリメートル単位で示す。一実施形態では、一体丁番８３２により、横材８２４及び横材に連結されたカートリッジが、一実施形態では８０°である弧ｆを通って前方に枢動できる。比較のために、Ｇｉｌｌｅｔｅ  Ｆｕｓｉｏｎ（登録商標）は単一方向で５５°の最大枢動弧を有する。同じ一体丁番により、カートリッジ８１０及び横材８２４は、例えば７５°の弧ｑを通って後方に枢動できるようにする。他の実施形態では、ｆは６０°又は５０°であってよく、ｑは例えば５０°又は４０°となるように選択してよい。前方弧及び後方弧は静止位置から定義され、静止位置は、作動力が印加される際のヘッドの位置である。しかしながら、枢動弧が大きいほど、刃８０２が効果的な位置で使用者の皮膚に留まるハンドルの角度の範囲が大きくなる。一実施形態では、横材８２４も可撓性であり、従ってカミソリの全体的な面は、図３Ａ〜３Ｂを参照して上述したように、凹状又は凸状となるように撓んでよい。代替実施形態では、全てのカートリッジをひげ剃り平面に保持しつつヘッドが一体丁番を中心に枢動できるよう、横材８２４は可撓性を有さなくてよい。
【００４１】
図１２Ａ〜１２Ｃは、一体ヨークを伴う単一カートリッジを有する本発明の代替実施形態の図である。ひげ剃りヘッド９００は、横材９２４に連結されたブリッジ９２２を有するヨーク９２０を含む。横材９２４は、単一カートリッジ８１０の取付け点を定める。例えば、横材９２４は一体で成形される架装ペグ８３８を受け入れるための穿孔を画定してよく、連結は熱溶接、接着又は他のいずれの適切な方法によってよい。ヨーク９２０は、組立体をひげ剃りカミソリハンドルに結合できるようにするために、ハンドル架装部品９３４を含んでよい。図示した実施形態では、カートリッジの長さは３９．６ミリメートルである。ただし、例えば１９．８ミリメートルである縮小サイズのカートリッジは本発明の範囲及び意図の範囲内である。他のサイズも本発明の範囲及び意図の範囲内である。
【００４２】
図１２Ｂは、本発明の単一カートリッジ実施形態の側面図を示す。この図から、カートリッジの一実施形態の断面寸法が３．８１ミリメートルであることが分かる。図１２Ｃは、単一カートリッジ実施形態の平面図を示す。この図では、カバー刃組立体の寸法が３．２ミリメートルであることが分かる。このような小さい寸法によって、カミソリは鼻の周り等の狭い空間でも効果的に機能できる。
【００４３】
多様な実施形態に関連して明示的な寸法を示し、説明しているが、これらの寸法を変更することは範囲及び意図の範囲内である。従って、実際の寸法は詳説した寸法よりも大きい場合もあれば、小さい場合もある。ただし、図示した寸法は、非常に優れたひげ剃りを実現する高品質の製品を生み出すことが判明している。
【００４４】
上述の明細書では、本発明の実施形態をその特定の実施形態に関して説明した。ただし、添付の特許請求の範囲に記載される本発明のより幅広い精神及び範囲から逸脱することなく、本発明に多様な修正及び変更を加えることができることは明らかであろう。従って、明細書及び図面は限定的な意味ではなく例示的な意味に解釈されるべきである。
【図１Ａ】
2014518136.tif 000003
【図１Ｂ】
2014518136.tif 000004
【図２】
2014518136.tif 000005
【図３Ａ】
2014518136.tif 000006
【図３Ｂ】
2014518136.tif 000007
【図４Ａ】
2014518136.tif 000008
【図４Ｂ】
2014518136.tif 000009
【図５】
2014518136.tif 000010
【図６】
2014518136.tif 000011
【図７】
2014518136.tif 000012
【図８】
2014518136.tif 000013
【図９Ａ】
2014518136.tif 000014
【図９Ｂ】
2014518136.tif 000015
【図１０】
2014518136.tif 000016
【図１１】
2014518136.tif 000017
【図１２Ａ】
2014518136.tif 000018
【図１２Ｂ】
2014518136.tif 000019
【図１２Ｃ】
2014518136.tif 000020
【国際調査報告】
2014518136.tif 000021
2014518136.tif 000022
2014518136.tif 000023